(57)【特許請求の範囲】
【請求項１】
電話帳データを蓄積及び検索する電話帳機能および電子メール送信機能を有する電話装置において、
通話中に前記電話帳機能を起動する通話中電話帳機能起動手段と、通話中にハンズフリー通話に移行するハンズフリー通話移行手段と、通話中に電子メールを送信する通話中電子メール送信手段と、を有し、
通話中に予め定められた電話帳起動の所定の操作が為された場合に、当該通話を維持した状態で前記電話帳機能および前記電子メール送信機能を起動すると共に、当該通話を自動的にハンズフリー通話に移行させ、
前記通話中電話帳機能起動手段は、前記電話帳機能の操作に係るメニューを自電話装置が備える表示部に表示し、通話中における電話帳機能の操作を可能とし、
前記ハンズフリー通話移行手段は、前記電話帳機能または前記電子メール送信機能の操作中におけるハンズフリー通話を可能とし、
前記通話中電子メール送信手段は、通話中の相手の電話番号と関連付けられた電子メールアドレスを送信アドレスとし、通話中に前記電話帳機能により検索した電話帳データの一部又は全てを含む電子メールを送信し、
通話中に前記電話帳機能が起動している間、通常の呼切断操作を無効化して呼を保持し、通話相手の呼切断操作あるいは通話者本人による特定の呼切断操作により呼を切断することを特徴とする通話中に電話帳データを電子メールで送信出来る電話装置。
【発明の詳細な説明】
【技術分野】
【０００１】
本発明は、通話中に電話帳機能を操作出来る電話装置に関する。
【背景技術】
【０００２】
携帯電話等で通話中に、通話相手より所定の相手の電話番号の問合せを受けることがあるが、その電話番号が当該使用中の携帯電話の電話帳に記憶されている場合、相手の音声を聞きながら電話帳機能の操作をディスプレイ表示で確認し、キー操作を行うのが面倒である。これに対し、特許文献１には、通話中に電話帳を操作して検索した電話番号を音声変換して相手に通知する技術が提案されている。
【先行技術文献】
【特許文献】
【０００３】
【特許文献１】特開２００７−５３５０８号公報
【発明の概要】
【発明が解決しようとする課題】
【０００４】
しかしながら、特許文献１に記載された技術では、電話帳機能の起動中、通話が不可能であり、問合せ元の通話相手と確認しながらの電話帳検索が出来ないという欠点があった。
【０００５】
そこで、本発明の目的は、電話帳機能を操作している間も通話可能とし、問合せ元の通話相手と確認しながらの効率的な電話帳検索を可能とする電話装置を提供することにある。
【課題を解決するための手段】
【０００６】
本発明の電話帳データを蓄積及び検索する電話帳機能および電子メール送信機能を有する電話装置は、通話中に前記電話帳機能を起動する通話中電話帳機能起動手段と、通話中にハンズフリー通話に移行するハンズフリー通話移行手段と、通話中に電子メールを送信する通話中電子メール送信手段と、を有し、通話中に予め定められた電話帳起動の所定の操作が為された場合に、当該通話を維持した状態で前記電話帳機能および前記電子メール送信機能を起動すると共に、当該通話を自動的にハンズフリー通話に移行させ、前記通話中電話帳機能起動手段は、前記電話帳機能の操作に係るメニューを自電話装置が備える表示部に表示し、通話中における電話帳機能の操作を可能とし、前記ハンズフリー通話移行手段は、前記電話帳機能または前記電子メール送信機能の操作中におけるハンズフリー通話を可能とし、前記通話中電子メール送信手段は、通話中の相手の電話番号と関連付けられた電子メールアドレスを送信アドレスとし、通話中に前記電話帳機能により検索した電話帳データの一部又は全てを含む電子メールを送信し、通話中に前記電話帳機能が起動している間、通常の呼切断操作を無効化して呼を保持し、通話相手の呼切断操作あるいは通話者本人による特定の呼切断操作により呼を切断することを特徴とする。
【発明の効果】
【０００７】
本発明によれば、ハンズフリー通話に切り替えることにより相手と通話しながら電話帳機能を操作できるので、検索内容を確認しながらの効率的で快適な通話中に電話帳検索が可能な電話装置を提供できる。
【図面の簡単な説明】
【０００８】
【図１】図１は本発明の実施例１の電話装置の機能ブロック図である。
【図２】図２は本発明の実施例１の電話装置の動作を示すフローチャートである。
【発明を実施するための形態】
【０００９】
以下、図面を参照して本発明の実施の形態を詳細に説明する。
【実施例１】
【００１０】
図１は本発明の実施例１の電話装置の機能ブロック図である。図１において、電話装置１は電話帳を記憶、参照する電話帳機能部７と、音声通話での通話を司る音声入力処理部１０と送話器１１と音声出力処理部１２と受話器１３と拡声スピーカ１４と、キー操作を司るキー入力部４とＬＣＤなどを備えた表示部３と、検索した電話帳データを記憶する検索結果記憶部８と検索した電話帳データを音声データに変換する音声変換処理部９と、電子メールの作成を司る電子メール生成部５と生成した電子メールを送信する電子メール送信処理部６と上記各部の制御を行う本体制御部２から構成されている。尚、本実施例では説明を分かり易くするために、受話器１３に内蔵されるスピーカと拡声スピーカ１４を分けて説明するが、一体化されたスピーカであってもよい。
【００１１】
表示部３はＬＣＤなどを備え本体制御部２から送られてきたデータを表示する。キー入力部４はキーの入力の検出を本体制御部２へ通知する。電子メール生成部５は本体制御部２より送られてきたデータから電子メールデータを生成し、生成した電子メールデータを本体制御部２へ出力する。電子メール送信処理部６は本体制御部２より送られてきた電子メールデータを送信する処理を司る。
【００１２】
電話帳機能部７は本体制御部２に指示された電話帳データを記憶、参照して検索結果を検索結果記憶部８へ出力する。検索結果記憶部８は電話帳機能部７より送られてきた文字データを記憶し、本体制御部２および音声変換処理部９へ出力する。
【００１３】
音声変換処理部９は検索結果記憶部８より送られてきた文字データを音声データに変換し本体制御部２へ音声データを出力する。音声入力処理部１０は送話器１１から入力されるアナログ信号をデジタル信号に変換して本体制御部２へ出力する。音声出力処理部１２はデジタル信号をアナログ信号に変換して受話器１３および拡声スピーカ１４より外部へ出力する。本体制御部２は電話装置全体の制御を司る。また、通話相手との通信制御も同制御部にて行う。
【００１４】
図２は本発明の実施例１の電話装置の動作を示すフローチャートである。以下、電話装置の動作について図２のフローチャートに従って説明する。
【００１５】
電話帳データを記憶及び検索する電話帳機能を有する電話装置１が通話状態にあるとき、通話相手からの電話番号の通知依頼を通話者自身が受話器１３からの音声で受けると、通話者自身は予め定められた所定の操作により電話帳を起動する。キー入力部４からの信号により予め定められた電話帳起動の所定の操作があったことを本体制御部２が検出してステップＳ２に移行する（Ｓ１）。電話帳起動の操作がない場合は通話を継続する。（Ｓ１：Ｎｏ）
【００１６】
キー入力部４からの信号により予め定められた電話帳起動の所定の操作があったことを本体制御部２が検出すると（Ｓ１：Ｙｅｓ）、本体制御部２はハンズフリー通話を起動する（Ｓ２）。同時に本体制御部２は電話帳メニューのデータを表示部３に出力し、表示部３は電話帳メニューを表示する（Ｓ３）。そして、本体制御部２は通話状態において電話帳を起動している間は、キー入力部４に通常呼の切断操作があった場合でもこれを無効化し、呼を保持する（Ｓ４）。
【００１７】
通話者自身による電話帳データ検索の開始をキー入力部４から本体制御部２が検出すると、本体制御部２は電話帳機能部７と連携し、通話者の操作に応じた電話番号を検索し、電話帳データを検索結果記憶部８へ送られる。尚、電話帳データには電話番号のみでなく電子メールアドレスや住所等も含まれており、これらの情報についても検索が可能であり、電話帳データとして検索結果記憶部８に送られる（Ｓ５）。
【００１８】
検索結果記憶部８は電話帳データを受け取ると本体制御部２へ検索結果の電話帳データを記憶し、本体制御部２からの要求に応じて電話帳データを表示部３へ送る。表示部３は送られてきた電話帳データを表示する（Ｓ６）。
【００１９】
通話者自身は表示された電話帳データから所定のキー操作の行い、検索した結果を音声データにて通知するか否かを選択する（Ｓ７）。キー入力部４から、音声データにて通知する操作を検出した場合（Ｓ７：Ｙｅｓ）、検索結果記憶部８は音声変換処理部９に電話帳データを送り、音声変換処理部９は電話帳データを音声データに変換し本体制御部２に送る。また、本体制御部２は、音声変換処理部９から送られた音声データを本体制御部２より通話相手に音声データを通知する（Ｓ８）。そして音声データの通知を完了すると、ステップ１２に移行する。尚、音声データでの通知の可否は表示部３にメニュー表示し、選択できるような構成としてもよい。
【００２０】
音声データにて通知しない場合（Ｓ７：Ｎｏ）、通話者自身は所定のキー操作の行い、検索した結果を通話相手に電子メール通知するか否かを選択する（Ｓ９）。
【００２１】
キー入力部４から、電子メールにて通知する操作を検出した場合（Ｓ９：Ｙｅｓ）、本体制御部２の指示により電話帳機能部７から電話帳データ内の通話相手の電話番号に関連付けられている電子メールアドレスを検索する。検索した電子メールアドレスは検索結果記憶部８へ記憶する（Ｓ１０）。
【００２２】
次に、検索結果記憶部８はステップ１０において検索された通話相手のメールアドレスとステップ５において検索された電話帳データを本体制御部２より電子メール生成部５に送る。通話相手のメールアドレスと検索された電話帳データを送られた電子メール生成部５は通話相手のメールアドレスに対して電話帳データを添付して電子メールデータを生成し、本体制御部２へ電子メールデータを送る。本体制御部２は送られた電子メールデータを電子メール送信処理部６に出力し、電子メール送信処理部６は通話相手に電子メールを送信する（Ｓ１１）。
【００２３】
また、本実施例では説明を省略したがステップ５において電話帳データを検索する際に、通話相手のメールアドレスが登録されていない場合、ステップ９で自動的にＮｏに移行する。
【００２４】
さらに通話者自身が本発明の電話帳機能を終了するか否かを判断する（Ｓ１２）。電話帳機能を終了する場合（Ｓ１２：Ｙｅｓ）、ハンズフリー通話を停止させ、本フローを終了する。尚、電話帳検索の終了の可否は表示部３にメニュー表示し、選択できるような構成としてもよい。
【００２５】
また、電話帳機能を終了しない場合に（Ｓ１２：Ｎｏ）、電話帳検索中で呼の切断操作が無効化されている状態において、通話相手からの呼の切断を本体制御部２が検出した場合に呼を切断できる（Ｓ１３）。尚、通話者自身による特定の操作例えば“切”ボタンの長押し等を検出した場合であってもよい。
【００２６】
以上の構成によれば、検索した電話帳データは、ハンズフリー通話で通話者自身の声での通知、または検索した電話帳データを音声データに変換して通知、または検索した電話帳データを電子メールにて通知することが可能となり、通話者自身が通話中に電話帳を操作して検索した電話番号を、検索内容を確認しながらの効率的で快適に通話相手に電話番号通知することができる。
【００２７】
尚、本実施例では、電話帳データには電話番号の送信について説明してきたが、本実施例は電話番号だけに限定されない。例えば、電子メールアドレスや住所等の情報も含まれており、これらの一部又は全てを選択し、通知することも可能である。
【符号の説明】
【００２８】
１    電話装置
２    本体制御部
３    表示部
４    キー入力部
５    電子メール生成部
６    電子メール送信処理部
７    電話帳機能部
８    検索結果記憶部
９    音声変換処理部
１０    音声入力処理部
１１    送話器
１２    音声出力処理部
１３    受話器
１４    拡声スピーカ
【図１】
0005293797.tif 000002
【図２】
0005293797.tif 000003